(57)【要約】【課題】ダイヤモンドスクライバをケガキ線方向にその稜線を合致させて保持し簡便で取り扱い性がよく、安価に実施できるスクライバ保持具を提供する。【解決手段】スクライバ保持具１はダイヤモンドスクライバ２をその稜線をケガキ線方向にセットすべく斜めに保持する移動側保持具本体３ａと、これを弾性支持して案内する固定側保持具本体３ｂとからなり、ダイヤモンドスクライバ２は移動側保持具本体３ａの保持孔８に挿入し、その挿入方向を目印（図略）を用いて位置決めし固定具１２により固定することにより高精度に位置決め保持される。【選択図】図２
0003114790.tif 000002
【実用新案登録請求の範囲】
【請求項１】
先端にダイヤモンドチップを有するダイヤモンドスクライバをその稜線をケガキ線方向に一致すべく保持するスクライバ保持具であって、該スクライバ保持具は、前記ダイヤモンドスクライバをケガキ線方向に対して斜めに保持するための保持孔を有する保持具本体と、該保持具本体に挿着された前記ダイヤモンドスクライバを所定位置に固定する固持具とを有し、前記保持具本体及び固持具が前記ダイヤモンドスクライバより柔質の材料から形成されることを特徴とするスクライバ保持具。
【請求項２】
前記保持具本体が、前記ダイヤモンドスクライバの挿着される移動側保持具本体と、該移動側保持具本体を弾性支持する固定側保持具本体とからなることを特徴とする請求項１に記載のスクライバ保持具。
【請求項３】
前記ダイヤモンドスクライバ及び移動側保持具本体には、前記ダイヤモンドチップの稜線とケガキ線方向とを一致させるための目印が互いに形成されることを特徴とする請求項１又は２に記載のスクライバ保持具。
【考案の詳細な説明】
【技術分野】
【０００１】
本考案は、ガラス、セラミックス、金属酸化物、金属窒化物等の結晶体もしくは多結晶体やアモルファス体等の固体状材料を切断する処理において前記材料にケガキ線を形成するために用いられるダイヤモンドスクライバをその稜線をケガキ線方向に正しく位置決め保持するスクライバ保持具に係り、特に、構造簡便で取り扱い性がよく、安価に実施し得るスクライバ保持具に関する。
【背景技術】
【０００２】
各種の機能性を有するガラス、セラミックス、金属酸化物、金属窒化物等の結晶体もしくは多結晶体、アモルファス体等の材料は様々な目的に広範囲に利用されている。一例として、液晶ディスプレス等の電子技術を応用した各種製品や、高機能センサ等の各種製品や電子デバイス製造プロセスにおける各種部材や光通信システムなどの通信技術材料等が挙げられる。以上の製品は前記のように様々な材料から作られているが、特にガラス、セラミックス、金属酸化物、金属窒化物等の板材料を効率よく利用するには、これ等の材料を高精度に切断処理することが必要となる。
【０００３】
板状材料の切断処理においては、予めケガキ線を形成し、このケガキ線を用いて材料の切断処理することが一般に行われている。このケガキ線を形成するためにダイヤモンドチップを先端部に有するダイヤモンドスクライバが用いられ、このダイヤモンドスクライバをその稜線をケガキ線方向に正しく位置決め保持するスクライバ保持具が用いられている。
【０００４】
ダイヤモンドスクライバを正しく保持するためには通常かなり複雑な保持具が必要であり、かつケガキ線作業時においてダイヤモンドスクライバに印加される力を制御して高精度のケガキ線作業の実施やダイヤモンドスクライバの損傷を防止する手段が必要となる。以上の機能を有する保持具の公知技術として、例えば、「特許文献１」が挙げられる。
【特許文献１】特開２００３−２８２４８３号公報（請求項１乃至４及び図６）
【考案の開示】
【考案が解決しようとする課題】
【０００５】
「特許文献１」の特開２００３−２８２４８３号公報の「スクライバーシャンクの装填方法及びシステム」によれば、ダイヤモンドスクライバをその稜線をケガキ線方向に精密に配置することができるが、この保持具は複雑な構造からなり、位置決め作業や印加力の制御が面倒であり、これ等の機構も複雑なものからなり、高価であり、全体重量も重く、取り扱い性にも問題がある。一方、このようなスクライバ保持具を仮りに使用しないでダイヤモンドスクライバを正しく位置決めするには極めて大きな手間を必要とし、生産性を大幅に低下させる問題点がある。
【０００６】
本考案は、以上の事情に鑑みて考案されたものであり、構造簡便で、取り扱い性もよく、稜線のケガキ線方向への位置決めも容易にでき、使用時における付加力の制御も容易にできるスクライバ保持具を提供することを目的とする。
【課題を解決するための手段】
【０００７】
本考案は、以上の目的を達成するために、請求項１の考案は、先端にダイヤモンドチップを有するダイヤモンドスクライバをその稜線をケガキ線方向に一致すべく保持するスクライバ保持具であって、該スクライバ保持具は、前記ダイヤモンドスクライバをケガキ線方向に対して斜めに保持するための保持孔を有する保持具本体と、該保持具本体に挿着された前記ダイヤモンドスクライバを所定位置に固定する固持具とを有し、前記保持具本体及び固持具が前記ダイヤモンドスクライバより柔質の材料から形成されることを特徴とする。
【０００８】
また、請求項２の考案は、前記保持具本体が、前記ダイヤモンドスクライバの挿着される移動側保持具本体と、該移動側保持具本体を弾性支持する固定側保持具本体とからなることを特徴とする。
【０００９】
また、請求項３の考案は、前記ダイヤモンドスクライバ及び移動側保持具本体には、前記ダイヤモンドチップの稜線とケガキ線方向とを一致させるための目印が互いに形成されることを特徴とする。
【考案の効果】
【００１０】
本考案の請求項１のスクライバ保持具によれば、ダイヤモンドスクライバを保持具本体の保持孔に挿入し、固定具で固持するだけでダイヤモンドスクライバを正しく位置決めすることができ取り扱い性が極めてよい。また、保持具本体や固定具がダイヤモンドスクライバより柔質の材料からなり、ダイヤモンドスクライバを痛めることがない。
【００１１】
また、請求項２のスクライバ保持具によれば、保持具本体がダイヤモンドスクライバを弾性支持する構造からなるため、使用時における付加力が制御され、高精度のケガキ線の形成とダイヤモンドスクライバの損傷が防止される。
【００１２】
また、請求項３のスクライバ保持具によれば、ダイヤモンドスクライバの位置決めは、目印合わせによって可能なため、極めて簡単に、かつ高精度に位置決めができる。
【考案を実施するための最良の形態】
【００１３】
以下、本考案のスクライバ保持具の実施の形態を図面を参照して詳述する。図１（ａ）は本考案のスクライバ保持具１と、これに挿着しているダイヤモンドスクライバ２及びスクライバ保持具１を握持して移動させる把持手段６等を示す。なお、ダイヤモンドスクライバ２は先端にダイヤモンドチップ４を有するものからなり、図５に示すようにその稜線５をケガキ線方向（Ｘ方向）に合致するように位置決めされる。また、ダイヤモンドスクライバ２はスクライバ保持具１にケガキ線方向に対して傾斜して保持される。なお、ダイヤモンドスクライバ１の先端のダイヤモンドチップ４は不使用時にはその損傷を防止すべく図１（ｂ）に示すようにキャップ７が冠着される。
【００１４】
図２乃至図４はスクライバ保持具１の詳細構造を示すものである。スクライバ保持具１はダイヤモンドスクライバ２を所望位置に保持する保持具本体３からなり、保持具本体３は移動側保持具本体３ａと固定側保持具本体３ｂとからなる。
【００１５】
移動側保持具本体３ａは、ダイヤモンドスクライバ２を斜めに保持する保持孔８を有する円筒部９とこの円筒部９の後端側に一体的に連結する案内軸１０等とからなる。また、円筒部９には保持孔８にほぼ直交する穴１１が螺刻され、このねじ穴１１にはダイヤモンドスクライバ２を所定方向に固定する固定具１２（ねじ体）が螺着される。また、円筒等の図の上方側には図２及び図４（ａ）（図２のＢ矢視図）に示すように長溝１３が形成され、ダイヤモンドスクライバ２の上端側はこの長溝１３内に露出してセットされる。また、図２及び図３（図２のＡ矢視図）案内軸１０には半径方向に伸延するガイドロッド１４が一体的に形成される。また、案内軸１０の先端側には長溝１５が凹設される。
【００１６】
固定側保持具本体３ｂは案内軸１０が摺動可能に挿着されるガイド孔１６を有する円筒体１７からなり、円筒体１７は円筒体９とほぼ同寸の外径を有するものからなる。また、円筒体１７には図２及び図３に示すように移動側保持具本体３ａのガイドロッド１４を案内する案内溝１８が凹設される。また、ガイド孔１６の後端側にはねじ孔１９が形成され、ねじ孔１９にはねじプラグ２０が螺着され、ねじプラグ２０と案内軸１０の先端面との間には弾性部材の１つであるスプリング２１が介設される。また、円筒部１７には止めピン２２が固定され、この止めピン２２は案内軸１０の長溝１５に挿入される。なお、スプリング２１が圧縮されない自由状態では止めピン２２は長溝１５の一端側（後端側）に当接した状態で保持され、移動側保持具本体３ａの抜け出しを防止している。
【００１７】
図４（ａ）に示すように、長溝１３に露出しているダイヤモンドスクライバ２にはそのダイヤモンドチップ４の稜線５を所定方向に向けるための目印２３が刻設されると共に円筒部９には目印２３の方向を決めるための目印２４が刻設される。即ち、ダイヤモンドスクライバ２は目印２３と目印２４とを合致させることによりその稜線５をケガキ線方向（図５のＸ方向）に合致させるように位置決めされる。また、ダイヤモンドスクライバ２の目印２３は図４（ｂ）に示すように一本の直線２３ａでも図４（ｃ）に示すように丸孔２３ｂでもよく、勿論その他の形状のものでもよい。
【００１８】
以上の構造により、ダイヤモンドスクライバ２は移動側保持具本体３ａの保持孔８内に挿入されて目印２３と目印２４を合致させ固定具１２により固持することによりダイヤモンドチップ４の稜線５をケガキ線方向（Ｘ方向）にセットすることができる。また、移動側保持具本体３ａはこれを後方側に押圧することによりスプリング２１のスプリング力が作用し、ケガキ線作用時におけるダイヤモンドチップ４を弾性支持することができる。また、ねじプラグ２０によりスプリング２１のスプリング力の調整が簡単にできる。
【００１９】
以上により、正しくセットされたダイヤモンドスクライバ２をケガキ線方向に合わせて把持手段６を作動させることにより、ケガキ線に沿ったケガキ線作業を行うことができ、高精度のケガキ線を刻設することができる。
【産業上の利用可能性】
【００２０】
本考案のスクライバ保持具は、各種材料の切断用ケガキ線を高精度に形成するものであり、適用される材料としては前記のものに限らず、ほぼすべての材料のケガキ線に適用可能であり、利用範囲は広い。また、この技術は同一技術的範疇のものに適用されることは勿論である。
【図面の簡単な説明】
【００２１】
【図１】本考案のスクライバ保持具の使用時の状態を示す模式図（ａ）と不使用におけるキャップ等を示す模式図（ｂ）。
【図２】本考案のスクライバ保持具の詳細構造を示す軸断面図。
【図３】図２のＡ矢視図。
【図４】図２のＢ矢視図（ａ）、ダイヤモンドスクライバに設けられる目印を示す平面図（ｂ），（ｃ）。
【図５】ダイヤモンドチップの先端形状を示す拡大上面図。
【符号の説明】
【００２２】
１      スクライバ保持具
２      ダイヤモンドスクライバ
３      保持具本体
３ａ    移動側保持具本体
３ｂ    固定側保持具本体
４      ダイヤモンドチップ
５      稜線
６      把持手段
７      キャップ
８      保持孔
９      円筒部
１０    案内軸
１１    ねじ穴
１２    固定具
１３    長溝
１４    ガイドロッド
１５    長溝
１６    ガイド孔
１７    円筒体
１８    案内溝
１９    ねじ孔
２０    ねじプラグ
２１    スプリング
２２    止めピン
２３    目印
２３ａ  直線
２３ｂ  丸孔
２４    目印
【図１】
0003114790.tif 000003
【図２】
0003114790.tif 000004
【図３】
0003114790.tif 000005
【図４】
0003114790.tif 000006
【図５】
0003114790.tif 000007